(57)【特許請求の範囲】
【請求項１】
基地局および公衆網を介して他の端末に接続可能な第１の通信部と、
前記基地局を介さずに前記他の端末との間で通信が可能な第２の通信部と、
前記第２の通信部により他の端末と接続して前記第１の通信部を介して当該他の端末を前記公衆網に中継させる制御部と、を有し、
前記制御部は、前記第２の通信部にて他の端末から前記公衆網への中継要求を受信した際に、
前記第１の通信部による通信中でないと、前記第２の通信部により他の端末と接続して前記第１の通信部を介して当該他の端末を前記公衆網に中継させ、
前記第１の通信部による通信中であると、当該第１の通信部による通信を終了するとともに前記第２の通信部により他の端末と接続して前記第１の通信部を介して当該他の端末の前記公衆網への中継が可能である
ことを特徴とする携帯無線端末。
【請求項２】
前記制御部は、
前記第１の通信部による通信中である場合に、当該第１の通信部による通信を終了するとともに前記第２の通信部により他の端末と接続して前記第１の通信部を介して当該他の端末の前記公衆網への中継をせずに、前記第１の通信部による通信を維持することが可能であり、
当該通信の維持が選択されると、当該通信を維持することを示す情報とともに、選択項目を、前記中継要求した前記他の端末に対して送信する
ことを特徴とする請求項１に記載の携帯無線端末。
【請求項３】
前記選択項目の中には、少なくとも、前記第１の通信部による通信終了後まで接続を待つ項目、または前記中継要求を取り消す項目が含まれる
ことを特徴とする請求項２に記載の携帯無線端末。
【請求項４】
前記選択項目の中には、
前記第１の通信部による通信終了後に録音メッセージの送信を促す項目を含む
ことを特徴とする請求項２または３に記載の携帯無線端末。
【請求項５】
前記制御部は、
前記第１の通信部による通信が音声通信とデータ通信とのいずれであるかにより前記中継要求をした前記他の端末に対して、前記第１の通信部による通信が終了した際に送信する情報を変更する
ことを特徴とする請求項２から請求項４のいずれか１項に記載の携帯無線端末。
【請求項６】
前記制御部は、
前記第１の通信部による通信が終了すると、前記中継要求した前記他の端末に対して前記第２の通信部によって当該前記第１の通信部による通信の終了通知を送信する
ことを特徴とする請求項２から請求項５のいずれか１項に記載の携帯無線端末。
【請求項７】
前記制御部は、
前記終了通知を送信した後に、他の端末からの中継要求を前記第２の通信部により受信すると、
前記第１の通信部による通信中でないと、前記第２の通信部により他の端末と接続して前記第１の通信部を介して当該他の端末を前記公衆網に中継させ、
前記第１の通信部による通信中であると、当該第１の通信部による通信を終了するとともに前記第２の通信部により他の端末と接続して前記第１の通信部を介して当該他の端末の前記公衆網への中継が可能である
ことを特徴とする請求項６に記載の携帯無線端末。
【発明の詳細な説明】
【技術分野】
【０００１】
本発明は、例えば、公衆通信網の基地局からの電波が届かない場所から緊急発信を行う際に近距離無線通信ネットワークを用いて他の端末を中継しながら基地局と通信を行うことのできる、携帯無線端末に関するものである。
【背景技術】
【０００２】
携帯無線端末としての携帯電話は基本的には移動を伴うため、その位置を知らせるのに常時基地局と通信を行い、どのゾーン内に在圏するかを位置登録用の記憶装置に登録している。
携帯電話が移動して他の基地局で電波を受信すると、新しい位置情報を記憶装置に登録することでその圏内の交換機に接続されるようになっている。
携帯電話は、上記の仕組みで通信を行っているため、携帯電話が位置する圏内エリアをカバーする基地局の機能がダウンしてしまうと、その圏内エリアに在圏する携帯電話は通話ができない状態になる。
【０００３】
ところで、緊急時に電波が届かない場所から基地局と通信するために携帯電話に内蔵された近距離無線通信機能を用いることが知られている。
この場合、通信を行う携帯電話は、内蔵するブルートゥース（Bluetooth：登録商標）や無線ＬＡＮ（Local Area Network）等の近距離無線通信インタフェースを用いて、携帯電話が在圏する圏内エリアの中継サービスを行っている携帯電話に接続する。
【０００４】
中継サービスを行っている携帯電話は、基地局と通信可能であれば通信を行い、基地局と通信が不可能であれば携帯電話が在圏する圏内の中継サービスを行っている別の携帯電話に接続する。
上記のような仕組みを用いることで、電波が届かない場所にいる携帯電話は、近距離無線通信により中継サービスを行っている携帯電話との近距離無線通信インタフェースを使用して基地局との通信を可能にしている。
【０００５】
上記した近距離無線通信を用い、中継局を介して基地局と接続する技術は多数特許がＴ提案されている。
例えば、長距離通信手段と短距離通信手段を有する通信装置であって、長距離通信手段が使用できない状態にあっても短距離通信手段を用いて他の端末を中継して長距離通信網に接続する通信アシストシステムが提案されている（例えば、特許文献１参照）。
【０００６】
あるいは、無線ＬＡＮやブルートゥース（Bluetooth：登録商標）等のアクセスポイントが限られた密度でしか設置されていない通信環境下で中継通信（アドホック通信）を行うことのできる無線アクセスシステム（例えば、特許文献２参照）が提案されている。
【特許文献１】特開２００３−４７０６４号公報
【特許文献２】特開２００４−３５６９５０号公報
【発明の開示】
【発明が解決しようとする課題】
【０００７】
上記した特許文献１、２に開示された技術によれば、長距離無線通信が不可能な場合であっても、近距離無線通信用の通信デバイスを介して煩雑な操作なく所望の通信先との間で通信を確保することができる。
【０００８】
しかしながら、電波が届く範囲で近距離無線通信用の通信デバイスを用いて中継サービスを行っている携帯電話が音声通話やデータ通信を行っている場合には中継通信がそもそもできず、このため、緊急時通信が不可能になる。
【０００９】
本発明の目的は、中継者の都合を考慮しながら効率の良い中継通信が可能な携帯無線端末を提供することにある。
【課題を解決するための手段】
【００１０】
本発明の携帯無線端末は、基地局および公衆網を介して他の端末に接続可能な第１の通信部と、前記基地局を介さずに前記他の端末との間で通信が可能な第２の通信部と、前記第２の通信部により他の端末と接続して前記第１の通信部を介して当該他の端末を前記公衆網に中継させる制御部と、を有し、前記制御部は、前記第２の通信部にて他の端末から前記公衆網への中継要求を受信した際に、前記第１の通信部による通信中でないと、前記第２の通信部により他の端末と接続して前記第１の通信部を介して当該他の端末を前記公衆網に中継させ、前記第１の通信部による通信中であると、当該第１の通信部による通信を終了するとともに前記第２の通信部により他の端末と接続して前記第１の通信部を介して当該他の端末の前記公衆網への中継が可能である。
【００１１】
また、本発明の携帯無線端末において、前記制御部は、前記第１の通信部による通信中である場合に、当該第１の通信部による通信を終了するとともに前記第２の通信部により他の端末と接続して前記第１の通信部を介して当該他の端末の前記公衆網への中継をせずに、前記第１の通信部による通信を維持することが可能であり、当該通信の維持が選択されると、当該通信を維持することを示す情報とともに、選択項目を、前記中継要求した前記他の端末に対して送信してもよい。
【００１２】
また、好適には、前記選択項目の中には、少なくとも、前記第１の通信部による通信終了後まで接続を待つ項目、または前記中継要求を取り消す項目が含まれる。
【００１３】
また、本発明の携帯無線端末において、前記選択項目の中には、前記第１の通信部による通信終了後に録音メッセージの送信を促す項目を含んでもよい。
【００１４】
また、本発明の携帯無線端末において、前記制御部は、前記第１の通信部による通信が音声通信とデータ通信とのいずれであるかにより前記中継要求をした前記他の端末に対して、前記第１の通信部による通信が終了した際に送信する情報を変更してもよい。
【００１５】
また、本発明の携帯無線端末において、前記制御部は、前記第１の通信部による通信が終了すると、前記中継要求した前記他の端末に対して前記第２の通信部によって当該前記第１の通信部による通信の終了通知を送信してもよい。
【００１６】
また、本発明の携帯無線端末において、前記制御部は、前記終了通知を送信した後に、他の端末からの中継要求を前記第２の通信部により受信すると、前記第１の通信部による通信中でないと、前記第２の通信部により他の端末と接続して前記第１の通信部を介して当該他の端末を前記公衆網に中継させ、前記第１の通信部による通信中であると、当該第１の通信部による通信を終了するとともに前記第２の通信部により他の端末と接続して前記第１の通信部を介して当該他の端末の前記公衆網への中継が可能である。
【発明の効果】
【００１７】
本発明の携帯無線端末によれば、中継者の都合を考慮しながら効率の良い中継通信が可能になる。
【発明を実施するための最良の形態】
【００１８】
図１は、本発明の実施の形態に係る携帯無線端末が接続される無線ネットワークシステムの通信イメージを説明するために示した図である。ここでは、携帯無線端末として携帯電話１０が例示されている。
【００１９】
図１に示されるように、圏外にいる携帯電話１０を所持した発信者Ｂが、例えば、ビル倒壊等、不測の事態が発生した場合に、相手装置（不図示）と連絡をとる場合について説明する。この場合、発信者Ｂは、近距離無線通信により中継者Ｃを経由し、また、圏内エリアにいる網側接続者Ｅ、あるいはＦを更なる中継者とし、公衆回線網経由で基地局２０に接続する。
図１中、ハッチング表記された矢印は、無線ＬＡＮ等の近距離無線通信により、実線表記された矢印は通常の携帯電話通信によりそれぞれ通信を行うものとする。
【００２０】
図２は、本発明の実施の形態に係る携帯無線端末の外観構造の一例を示す図である。ここでは、携帯無線端末として、折り畳み型の携帯電話１０を想定している。
【００２１】
図２に示されるように、携帯電話１０は、上部筐体１０１と、下部筐体１０２と、ヒンジ部１０３とを有する。
【００２２】
図２（ａ）は、携帯電話１０が開かれた状態（開状態）を示した図であり、図２（ｂ）は携帯電話１０の折り畳まれた状態（閉状態）を示した図である。
【００２３】
図２（ａ）に示されるように、上部筐体１０１には、図２（ｂ）に示す携帯電話１０の閉状態においては外部には露出しない一面に表示部１４が配置されている。
また、図２（ａ）に示されるように、下部筐体１０２には、図２（ｂ）に示す携帯電話１０の閉状態において外部には露出しない一面に操作部１２が配置されている。
【００２４】
ヒンジ部１０３は、上部筐体１０１と下部筐体１０２とを開閉し、図２（ａ）に示す携帯電話１０の開状態と図２（ｂ）に示す閉状態とを遷移可能とする回転軸を有するヒンジ機構である。なお、携帯電話１０の開状態／閉状態は、後述する制御部１７により監視されており、制御部１７は携帯電話１０の閉状態を検出することが可能である。
【００２５】
図３は、本発明の実施の形態に係る携帯無線端末の信号処理系の内部構成を示すブロック図である。以下に説明する携帯電話１０は、図１で示した発信者、中継者を含む網側接続者のいずれの端末としても動作するものである。
【００２６】
図３に示されるように、携帯電話１０は、基地局通信部１１（第１の通信部）と、操作部１２と、音声入出力部１３と、表示部１４と、近距離通信部１５（第２の通信部）と、記憶部１６と、制御部１７と、により構成される。
【００２７】
上記した基地局通信部１１、操作部１２、音声入出力部１３、表示部１４、近距離通信部１５、記憶部１６、制御部１７は、データ、コントロールのためのラインが複数本で構成されるシステムバス１８を介して共通接続される。
【００２８】
基地局通信部１１は、複数の通信システムを捕捉し、ＣＤＭＡ２０００ １ｘ（以下、単に１ｘという）やＥＶＤＯ（Evolution-Data Optimized/only）の通信プロトコルにしたがい、公衆通信網に接続される不図示の基地局との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００２９】
操作部１２は、例えば、電源キー、発信キー、数字キー、文字キー、方向キー、決定キー、発信キーなど、各種の機能が割り当てられたキーを有している。
操作部１２は、これらのキーがユーザによって操作された場合に、その操作内容に対応する信号を発生し、これをユーザの指示として制御部１７に入力する。
【００３０】
音声入出力部１３は、スピーカから出力される音声信号やマイクロフォンにおいて入力される音声信号の処理を行う。
すなわち、音声入出力部１３は、マイクロフォンから入力される音声を増幅し、アナログ−デジタル変換を行い、更に符号化等の信号処理を施し、デジタルの音声データに変換して制御部１７に出力する。
また、音声入出力部１３は、制御部１７から供給される音声データに復号化、デジタル−アナログ変換、増幅等の信号処理を施し、アナログの音声信号に変換してスピーカに出力する。
【００３１】
表示部１４は、例えば、液晶表示パネルや有機ＥＬ（Electro-Luminescence）パネルなどの表示デバイスを用いて構成されており、制御部１７から供給される映像信号に応じた画像を表示する。
表示部１４は、例えば、発信時における発信先の電話番号、着信時における着信相手の電話番号、受信メールや送信メールの内容、日付、時刻、電池残量、発信成否、待ち受け画面などの各種の情報や画像を表示する。
ここでは、表示部１４は、更に、他の端末から送信される電源状態情報を表示して操作部１２を介した選択入力を促す。詳細は後述する。
【００３２】
近距離通信部１５は、無線ＬＡＮやブルートゥース（Bluetooth：登録商標）等の近距離無線通信デバイスを備え、基地局２０を介さずに他の端末との間で直接通信を行う、ＩＥＥＥ−ＳＡ（Institute of Electronics Engineering Standards Association）準拠の通信インタフェースである。
【００３３】
記憶部１６は、制御部１７において処理に利用される各種のデータを記憶する。
記憶部１６は、例えば、制御部１７に備わるプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
上記した記憶部１６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３４】
制御部１７は、携帯電話１０の全体的な動作を統括的に制御する。
すなわち、制御部１７は、携帯電話１０の各種の処理が操作部１２の操作に応じて適切な手順で実行されるように、上述した各ブロックの動作を制御する。ここで、各種の処理とは、例えば、回線交換網を介して行われる音声通話、電子メールの作成と送受信、インターネットのＷｅｂ（World Wide Web）サイトの閲覧などである。また、各ブロックの動作とは、例えば、基地局通信部１１における信号の送受信、音声入出力部１３における音声の入出力、表示部１４における画像の表示、近距離通信部１５における信号の送受信などである。
制御部１７は、記憶部１６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１７は、記憶部１６に格納されるオペレーティングシステムやアプリケーションプログラム等のプログラムから命令コードを順次読み込んで処理を実行する。
【００３５】
制御部１７はまた、基地局通信部１１が圏外の状態で発信を要求する際、近距離通信部１５により他の端末に接続し、当該他の端末を中継局として介し、公衆網に接続する中継通信を行う機能を有する。
具体的には、制御部１７は、近距離通信部１５にて中継通信による発信要求を受信した場合に、自端末（中継端末として動作する携帯電話１０）が既に基地局通信部１１により通信中であるか否かの判定を行う。そして、制御部１７は、待受け中であれば中継通信を許可し、通信中であれば基地局通信部１１による通信を終了して中継通信を許可するか、もしくは基地局通信部１１による通信を維持するかを選択可能にする。
【００３６】
また、制御部１７は、基地局通信部１１による通信を維持することが選択されると、中継通信による発信要求を送信した他の端末（発信要求端末としての携帯電話１０）に対し、通信を維持することを示す情報とともに、通信終了時動作選択項目を示す情報を近距離通信部１５により送信する。
なお、通信終了時動作項目の中には、通信終了まで待つ「接続待ち」と、メッセージを録音し、通信終了時に希望の接続先へ転送する「録音メッセージの送信を促す情報」と、現状の通信経路での通信を停止して他の経路を選択し、または通信自体を終了する「中継通信による発信要求の取り消し」と、を含む。
【００３７】
また、制御部１７は、通信終了時動作を実行するにあたり、基地局通信部１１による通信として音声通信かデータ通信かを判定し、当該判定結果により中継通信による発信要求端末に対して送信する情報を変更する。
また、制御部１７は、基地局通信部１１による通信が終了すると、中継通信による発信要求端末に対し近距離通信部１５により終了通知を送信する。
また、終了通知を受信した発信者端末にて再度中継通信を要するか否か判定され、このとき、制御部１７は、発信者端末にて再度の中継通信が要と判定された場合、当該発信者端末から再度送信される発信要求を近距離通信部１５にて受信し、自端末が未だ基地局通信部１１により通信中であるか否かの判定を行い、待受け中であれば中継通信を許可し、通信中であれば基地局通信部１１による通信を終了して中継通信を許可するか、もしくは基地局通信部１１による通信を維持するかを選択可能にする。いずれも詳細は後述する。
【００３８】
図４〜図６は、本発明の実施の形態に係わる携帯無線端末の動作を示すフローチャートであり、図４は、発信者端末としての携帯電話１０（制御部１７）動作を、図５、図６は、中継者端末としての携帯電話１０（制御部１７）動作を示す。
以下、図４〜図６のフローチャートを参照しながら、図２、図３に示す本発明の実施の形態に係る携帯無線端末の動作について詳細に説明する。
【００３９】
まず、図４のフローチャートを参照しながら、発信者端末としての携帯電話１０の動作を説明する。
【００４０】
発信者端末としての携帯電話１０（制御部１７）は、まず、中継通信を実行可能な経路の検索、すなわち、近距離通信で接続可能な他の端末を近距離通信部によりサーチする。そして、携帯電話１０は、緊急時通信の経路検索結果から緊急時通信を行う経路を選択し（ステッフＳ１０１）、選択した通信経路にて緊急通信を行う（ステップＳ１０２）。
このとき、通信経路情報（例えば、自端末ＩＰアドレス、中継者ＩＰアドレス、接続希望先アドレス）も添付して中継者端末へ送信する。
【００４１】
続いて、制御部１７は、緊急時通信が成功した場合（ステップＳ１０３“成功”）には、処理を終了し、緊急時通信が失敗（通信エラーまたは中継者端末が通信中）した場合（ステップＳ１０３“失敗”）には、ステップＳ１０１の処理に戻り、別の通信経路を選択する。
また、制御部１７は、網側接続者端末が音声通話中であることから通話中通知（通話終了時動作選択項目）を受信した場合（ステップＳ１０３“通話中通知を受信”）、その選択肢の中から希望動作を選択して中継者端末を含む網側接続者端末に送信する（ステップＳ１０４）。
【００４２】
ここで選択した選択肢が「接続待ち」の場合（ステップＳ１０５“通話終了時お知らせ”）、中継者端末を含む網側接続者端末から通話終了時通信を行う旨のガイダンスが送信される（ステップＳ１０６）。そして、これを受信した発信者端末の制御部１７は、緊急時通信待ち受け状態（緊急時通信が受信できる状態）へ遷移し（ステップＳ１０７）、やがて、中継者端末を含む網側接続者端末から通話終了のお知らせを受信する（ステップＳ１０８）。
そして、ステップＳ１０２の処理に戻って、接続待ちを行っていた通信経路による、緊急時通信を行うか、あるいは緊急時通信を行わずに通信を終了するかの入力を待つ（ステップＳ１０９）。
【００４３】
一方、送信した選択肢が「通話終了時に録音メッセージを送付」の場合（ステップＳ１０５“録音メッセージ受付”）、網側接続者端末からガイダンスが送付される（ステップＳ１１０）。そして、当該ガイダンスを受信した発信者端末の制御部１７は、メッセージの録音を行い（ステップＳ１１１）、通信を終了する。送信した選択肢が「通信要求取り消し」の場合（ステップＳ１０５“通信中止”）、ステップＳ１０１の処理に戻って他の通信経路を選択し、もしくは通信を終了する。
【００４４】
上記したように、緊急時通信を行う発信要求者にとって、通話終了時動作における「接続待ち」とは、網側接続者の音声通話終了を待って緊急時通信を行うことを意味する。また、「通話終了時に録音メッセージを送付」とは、録音メッセージを受け付け、中継者端末を含む網側接続者の通話終了時に接続希望先へ送信することを意味する。また、「通信要求取り消し」とは、選択した通信経路での通信を中止し、他の通信経路選択または、緊急時通信を終了することを意味する。
【００４５】
次に、図５、図６のフローチャートを参照しながら中継者端末としての携帯電話１０の動作を説明する。
【００４６】
中継者端末としての携帯電話１０（制御部１７）は、まず、発信者端末から緊急通信時のアクセス要求を近距離通信部１５により受信する（図５のステップＳ２０１）。
ここで要求の種類を判定し（ステップＳ２０２）、緊急時通信時の経路探索のための信号の受信であれば（ステップＳ２０２“経路検索”）、網側接続者端末の端末ステータスを確認し（ステップＳ２０３）、発信者端末に対して、端末ステータスに応じた検索結果（通話中／通信中／待ち受け）を返す（ステップＳ２０４）。
一方、緊急時通信の接続要求を受信した場合（ステップＳ２０２“接続要求”）、制御部１７は、更に端末ステータスを判定する（ステップＳ２０５）。そして、端末ステータスが待ち受け状態にあれば（ステップＳ２０５“待受け状態”）、要求のあった発信者端末に対して緊急時通信の接続を行う。
また、端末ステータスが音声通話以外の通信中の場合には（ステップＳ２０５“音声通話以外の通信中”）、要求のあった発信者端末に致して通話中通知を送信する（ステップＳ２０６）。
また、端末ステータスが音声通話中の場合には（ステップＳ２０５“音声通話中”）、表示部１４に緊急時通信時の動作選択画面を表示する（ステップＳ２０７）。
【００４７】
ステップＳ２０７において、動作選択画面の表示中に、ユーザが操作部１２により「通話を切断」を選択した場合には（ステップＳ２０８“通話を切断”）、制御部１７は、通話を切断して緊急時通信に切り換える（ステップＳ２０９）。また、選択結果が「通話終了時動作」だった場合（ステップＳ２０８“通話中通知を送信”）、制御部１７は、選択肢を含む通話中通知を近距離通信部１５により要求のあった発信者端末へ送信する（ステップＳ２１０）。
そして、発信者端末近距離通信部１５を介して通話中通知の回答を受信し（ステップＳ２１１）、その回答が、通信中止の場合（図６のステップＳ２１２“通信中止”）、緊急時通信を終了する。
また、選択結果が録音メッセージの場合（ステップＳ２１２“メッセージ録音”）、録音メッセージ受付ガイダンスを送信する（ステップＳ２１３）。そして、発信者端末のメッセージの受信あるいはメッセージの録音を開始し（ステップＳ２１４）、このメッセージの記憶、およびその送信先の記憶が終了すると緊急時通信を終了する（ステップＳ２１６）。
【００４８】
また、選択結果が接続待ちの場合（ステップＳ２１２“接続待ち”）、制御部１７は、通話終了時通知を行うガイダンスを送信する（ステップＳ２１５）。その後、セッションを断ち、緊急時通信を終了する（ステップＳ２１６）。
そして、音声通話が終了すると（ステップＳ２１７）、制御部１７は、通話終了時動作を判定する（ステップＳ２１８）。そして、通話終了時動作がメッセージ送信だった場合には（ステップＳ２１８“メッセージ送信”）、ステップＳ２１４で記憶した録音メッセージを使用可能な通信経路を介して、ステップＳ２１４で発信者端末から指定された送信先へ送信する（ステップＳ２１９）。さらに、録音メッセージ送信が完了すると、その完了通知を要求のあった発信者端末へ送信する（ステップＳ２２０）。
そして、緊急時通信の待ち受け状態へ遷移する。
また、通話終了時動作が接続待ちだった場合（ステップＳ２１８“接続待ち”）、要求のあった発信者端末に通話終了通知を送信して（ステップＳ２２１）、緊急時通信の待ち受け状態へ遷移する（ステップＳ２２３）。
【００４９】
すなわち、現在通信中の中継者端末を含む網側接続者端末は、発信者端末から緊急時通信要求を受信した場合、自端末のステータスにより、例えば、（１）音声通話中の場合、通話を終了して緊急時通信を実施するか、（２）通話終了時動作の選択肢を含む「通話中通知」を送信するか、（３）それ以外の通信中の場合は、通話終了時動作の選択肢を含む「通信中通知」を要求のあった発信者端末へ送信するか、のいずれかを選択することとなる。
なお、発信要求者に選択させる通話終了時動作の中には、接続待ち（網側接続者が通信可能になるまで待つ）、音声メッセージ送信（メッセージを録音あるいは受信し、網側接続者の通信終了時に希望接続先へ送信）、通信中止（現在の要求経路での中継を中止し、他中経路選択ｏｒ緊急時通信終了）を含む。
【００５０】
ところで、音声通話は、通話終了までに長時間を要することが想定されるが、Ｅメール等、ＣＤＭＡ通信以外の通信は、音声通話と比べて短時間で通信が終了することが想定される。また、待受け時には問題なく緊急時通信が可能である。
このことを念頭に、端末ステータスによる発信要求者の緊急度と、中継者端末を含む網側接続者端末の動作を説明すれば以下のようになる。すなわち、発信者の緊急度が比較的高い場合であって、かつ、緊急時通信要求受信時の網側接続者端末のステータスが「通話中」の場合、網側接続者端末は、緊急時通信要求があることを表示部１４にポップアップ表示するか、入出力制御部１３を介して音やバイブで報知することが望ましい。そして、このとき、網側接続者端末は、すぐに通話を切断するか、あるいは、通話を継続する場合でも通話終了時動作を送信し、発信要求者にその後の動作を選択させるように制御する。
ここで、「通信を継続」の場合、接続待ち、録音メッセージ送付、通信要求取り消しの選択肢を含む通信終了時動作選択項目を発信者端末へ送信する。待受け中の場合は、すぐに緊急時通信を開始する。
【００５１】
以上説明のように本発明の実施の形態に係る携帯無線端末によれば、中継通信による発信要求を受信した場合に、自端末が既に通信中であるか否かの判定を行う。そして、待受け中であれば中継通信を許可し、通信中であれば通信を終了して中継通信を許可するか、もしくは通信を継続するかを選択可能にする。これにより、中継者の都合を考慮しながら効率の良い中継通信が可能になる。
また、通信を継続することが選択されると、中継通信による発信要求を送信した発信要求端末に対し、通信を継続することを示す情報とともに、通信終了時動作選択項目（接続待ち、中継通信による発信要求の取り消し、録音メッセージの送信を促す情報）を示す情報を送信する。さらに、発信要求者はこれを選択することで、それぞれの動作が可能であり、中継者の都合を考慮しながら柔軟な対応が可能になる。
【００５２】
なお、本発明の実施の形態に係る携帯無線端末として携帯電話１０を例示したが、携帯電話１０に限らず、ＰＤＡ（Personal Digital Assistants）、やゲーム機等にも同様に適用が可能である。
【００５３】
また、本発明の実施の形態に係る携帯無線端末装置が有する各構成ブロックの機能は、全てをソフトウェアによって実現しても、あるいはその少なくとも一部をハードウェアで実現してもよい。
例えば、第２の通信部（近距離通信部１５）にて中継通信による発信要求を受信した場合に、自端末が既に第１の通信部（基地局通信部１１）により通信中であるか否かの判定を行い、待受け中であれば中継通信を許可し、通信中であれば第１の通信部（基地局通信部１１）による通信を終了して中継通信を許可するか、もしくは第１の通信部（基地局通信部１１）による通信を維持するかを選択可能にする制御部１７におけるデータ処理は、１または複数のプログラムによりコンピュータ上で実現してもよく、また、その少なくとも一部をハードウェアで実現してもよい。
【図面の簡単な説明】
【００５４】
【図１】本発明の実施の形態に係る携帯無線端末が接続される無線ネットワークシステムの通信イメージを説明するために示した図である。
【図２】本発明の実施の形態に係る携帯無線端末の外観構造の一例を示す図である。
【図３】本発明の実施の形態に係る携帯無線端末の信号処理系の内部構成を示すブロック図である。
【図４】本発明の実施の形態に係る携帯無線端末を発信者端末として使用した場合の動作を示すフローチャートである。
【図５】本発明の実施の形態に係る携帯無線端末を中継者端末として使用した場合の動作（１）を示すフローチャートである。
【図６】本発明の実施の形態に係る携帯無線端末を中継者端末として使用した場合の動作（２）を示すフローチャートである。
【符号の説明】
【００５５】
１０…携帯電話、１１…基地局通信部、１２…操作部、１３…音声入出力部、１４…表示部、１５…近距離通信部、１６…記憶部、１７…制御部、１８…システムバス、２０…基地局。
【図１】
0005448366.tif 000002
【図２】
0005448366.tif 000003
【図３】
0005448366.tif 000004
【図４】
0005448366.tif 000005
【図５】
0005448366.tif 000006
【図６】
0005448366.tif 000007